(57)【要約】      （修正有）【課題】８の字に巻かれた糸を円滑にかつそのループを完全に解いた状態で引き出すことができる糸巻きを提供する。【解決手段】本体部４では、平行配置の上壁６、下壁８の一方の端部が端壁１０によって結合され、上壁６、下壁８の他方の端部が開放端部とされている。上壁６、下壁８の内面に、短柱状部１２、１４が設けられ、上壁６、下壁８の内面の端壁１０側から開放端部側に向かって舌片部１６、１８が伸延し、短柱状部１２、１４に中途が結合されている。舌片部１６、１８は、それらの先端部側から端壁１０に向かうに従って、幅が細くなり、その両縁の中途に、幅方向の外方側に凸に湾曲している第１の湾曲部が設けられている。【選択図】図１
0003161807.tif 000002
【実用新案登録請求の範囲】
【請求項１】
第１及び第２の主壁が互いに平行に配置され、第１及び第２の主壁の一方の端部が結合体によって結合され、第１及び第２の主壁の他方の端部が開放端部とされている本体部と、
第１の主壁の内面に、第２の主壁側に向かって突出した状態で設けられ、少なくとも前記開放端部側に位置している部分が、前記開放端部側に向かって凸に湾曲している第１の突出部と、
第２の主壁の内面に、第１の主壁側に向かって突出した状態で設けられ、少なくとも前記開放端部側に位置している部分が、前記開放端部側に向かって凸に湾曲している第２の突出部と、
第１の主壁の内面の前記結合体側から前記開放端部側に向かって伸延し、中途の裏面が第１の突出部に結合され、前記開放端部側の先端部が、前記開放端部側に向かって凸に湾曲する第１の片状部と、
第２の主壁の内面の前記結合体側から前記開放端部側に向かって伸延し、中途の裏面が第２の突出部に結合され、前記開放端部側の先端部が、前記開放端部側に向かって凸に湾曲する第２の片状部とを、
具備し、
前記第１及び第２の片状部は、それらの前記先端部側にある、前記開放端部側に凸に湾曲した部分から前記結合体側に向かうに従って、幅が細くなり、その両縁の中途に、前記幅方向の外方側に凸に湾曲している第１の湾曲部を有している糸巻き。
【請求項２】
請求項１または２記載の糸巻きにおいて、前記第１の湾曲部の前記開放端部側の端部に連ねて、前記幅方向の中央側に向かって凸に第２の湾曲部が形成されている糸巻き。
【請求項３】
請求項１記載の糸巻きにおいて、前記第１の湾曲部の前記結合体側の端部に連ねて、前記幅方向の中央側に向かって凸に第３の湾曲部が形成されている糸巻き。
【考案の詳細な説明】
【技術分野】
【０００１】
本考案は、例えば釣り糸の幹糸やハリスを巻く糸巻きに関する。
【背景技術】
【０００２】
上記の糸巻きとしては、例えば特許文献１に開示されているようなものがある。特許文献１の技術は、本体部を有している。本体部は、互いに平行に配置された第１及び第２の主壁を備えている。第１及び第２の主壁の一方の端部が結合体によって結合され、第１及び第２の主壁の他方の端部が開放端部とされている。第１の主壁の内面に、第２の主壁側に向かって突出した楕円柱状の第１の突出部が設けられている。同様に第２の主壁の内面に、第１の主壁側に向かって突出した楕円柱状の第２の突出部が設けられている。第１の主壁の内面の前記結合体側から前記開放端部側に向かって第１の片状部が伸延し、中途の裏面が第１の突出部の突出端部に結合されている。第１の片状部の前記開放端部側の先端部が、前記開放端部側に向かって凸に湾曲している。第２の主壁の内面の前記結合体側から前記開放端部側に向かって第２の片状部が伸延し、中途の裏面が第２の突出部の突出端部に結合されている。第２の片状部の前記開放端部側の先端部が、前記開放端部側に向かって凸に湾曲している。第１及び第２の片状部は、その両縁が、先端部側から結合体側に向かうに従って中央側に向かって直線状に傾斜している。８の字状に巻かれた糸が、その交差位置で２つのループが重なるように折り曲げられ、一方のループが第１の突出部に係合させられ、他方のループが第２の突出部に係合させられている。糸の引き出し端は、一方のループ側にあり、引き出された糸は、第１及び第２の片状部の間から外部に引き出される。
【先行技術文献】
【特許文献】
【０００３】
【特許文献１】特許第３８９９１１７号
【考案の概要】
【考案が解決しようとする課題】
【０００４】
特許文献１の技術では、糸を引き出す際、ループから糸が引き出されるが、完全に解けずに、ループのまま引き出されることがある。このループのままの糸が第１または第２の片状部の縁に当たり、円滑にかつループを完全に解いた状態で引き出すことができなかった。
【０００５】
本考案は、８の字に巻かれた糸を円滑にかつそのループを完全に解いた状態で引き出すことができる糸巻きを提供することを目的とする。
【課題を解決するための手段】
【０００６】
本考案の一態様の糸巻きは、本体部を有し、本体部では、第１及び第２の主壁が互いに平行に配置され、第１及び第２の主壁の一方の端部が結合体によって結合されている。第１及び第２の主壁の他方の端部が開放端部とされている。第１及び第２の主壁は、例えば正方形または長方形状の板状体とすることもできるし、円板や楕円板、小判型の板状体等の種々の形状とすることができる。結合体は、第１及び第２の主壁の一方の端部を全面的に結合する板状のものを使用することもできるし、一方の端部の長さ方向に適当な間隔をおいて配置され、第１及び第２の主壁の一方の端部間を結合するものも使用できる。第１の主壁の内面に、第２の主壁側に向かって突出した第１の突出部が設けられている。第１の突出部は、少なくとも前記開放端部側に位置している部分が、前記開放端部側に向かって凸に湾曲している。第２の主壁の内面に、第１の主壁側に向かって突出して第２の突出部が設けられている。第２の突出部も、少なくとも前記開放端部側に位置している部分が、前記開放端部側に向かって凸に湾曲している。第１及び第２の突出部は、突出端部がほぼ接するように配置することもできるし、一方が開放端側によって、他方が結合体側によるように配置することもできる。また、第１及び第２の突出部の凸の湾曲部は、例えば円弧状または楕円弧状とすることができる。第１の主壁の内面の前記結合体側から前記開放端部側に向かって第１の片状部が伸延し、第１の片状部の中途の裏面が第１の突出部の突出端部に結合されている。第１の片状部の前記開放端部側の先端部が、前記開放端部側に向かって凸に湾曲している。第２の主壁の内面の前記結合体側から前記開放端部側に向かって第２の片状部が伸延し、第２の片状部の中途の裏面が第２の突出部の突出端部に結合されている。第２の片状部の前記開放端部側の先端部が、前記開放端部側に向かって凸に湾曲している。第１及び第２の片状部の開放端部側に凸の湾曲部も、例えば円弧状または楕円弧状とすることができる。前記第１及び第２の片状部は、それらの前記先端部側に存在する、前記開放端部側に凸に湾曲した部分から前記結合体側に向かうに従って、幅が細くなり、その両縁の中途に、前記幅方向の外方側に凸に湾曲している第１の湾曲部を有している。
【０００７】
このように構成された糸巻きでは、第１または第２の突出部から解かれた糸は、第１または第２の片状部の縁に沿って結合体側に移動し、そこから第１及び第２の片状部の間を通過して、外部に引き出される。第１または第２の片状部の縁に、外方側に凸に湾曲している第１の湾曲部が形成されているので、この第１の湾曲部に糸が案内されている間に、ループのままの糸が解けて、完全に解けた状態で糸が引き出される。
【０００８】
前記第１の湾曲部の前記開放端部側の端部に連ねて、前記幅方向の中央側に向かって凸に第２の湾曲部が形成したり、前記第１の湾曲部の前記結合体側の端部に連ねて、前記幅方向の中央側に向かって凸に第３の湾曲部を形成したりすることもできる。このように第２、第３の湾曲部を設けることにより、より円滑に糸を引き出すことができる。
【考案の効果】
【０００９】
以上のように、本考案によれば、８の字に巻かれた糸を、円滑にかつそのループを完全に解いた状態で引き出すことができる。
【図面の簡単な説明】
【００１０】
【図１】本考案の１実施形態の糸巻きの縦断側面図である。
【図２】図１の糸巻きの本体部を展開した状態の平面図及び側面図である。
【図３】図１の糸巻きの２つの舌片部を展開した状態の平面図及び側面図である。
【図４】図１の糸巻きの展開した本体部に、展開した２つの舌片部を取り付けた状態の平面図である。
【考案を実施するための形態】
【００１１】
本考案の一実施形態の糸巻き２は、例えば合成樹脂製で、図１に示すように、本体部４を有している。本体部４は、第１及び第２の主壁、例えば上壁６と下壁８とを有している。上壁６及び下壁８は、共に同じ大きさの長方形状に形成され、両者が互いに重なり合うように平行に、所定の間隔を隔てて配置されている。これら上壁６と下壁８との一方の端部、例えば一方の短縁間が、結合体、例えば端壁１０によって結合されている。端壁１０は、上壁６及び下壁８の両短縁全域に結合され、両者に対してほぼ垂直である。このように本体部４は、端壁１６とは反対側が開放された開放端部とされた概略コ字状の側面形状をなしている。
【００１２】
上壁６の裏面、即ち下壁８側にある面の開放端部側によった位置に第１の突出部、例えば短柱状部１２が形成されている。この短柱状部１２は、上壁６の長手縁を繋ぐ方向、即ち幅方向のほぼ中央に位置している。下壁８の裏面、即ち上壁６側にある面における短柱状部１２と対応する位置に、第２の突出部、例えば短柱状部１４が形成されている。これら短柱状部１２、１４は同じ大きさである。短柱状部１２、１４は、その平面形状が楕円形であるので、開放端部側に向かって凸の湾曲部を有している。
【００１３】
この本体部４は、図２（ａ）、（ｂ）に示すように、上壁６及び下壁８をその長さ方向に沿って一直線状に配置し、両者の間にこれらの間に端壁１０を配置し、上壁６に短柱状部１２を形成し、下壁８に短柱状部１４を形成した板状体を、図２（ａ）に示す破線（端壁１０と上壁６との境界、端壁１０と下壁８との境界）に沿って折曲げることによって形成される。
【００１４】
上壁６の裏面に第１の片状部、例えば舌片部１６が配置されている。舌片部１６は、図１に示すように、その基端部が端壁１６の近傍にあり、先端部が本体部４の開放端側にある。同様に、下壁８の裏面に第２の片状部、例えば舌片部１８が配置されている。舌片部１８も、その基端部が端壁１６側にあり、先端部が本体部４の開放端側にある。これら舌片部１６、１８は、それらの基端部側で連結体２０によって連結されている。また、これら舌片部１６、１８は、所定の隙間を通路として空けて互いに対向している。これら通路を維持するために、舌片部１６、１８の一方の面には、通路形成部２２、２４が設けられている。通路形成部２２、２４が形成されている面と反対側の舌片部１６、１８の面において、短柱状部１２、１４に対応する位置に、これらの外周面に一致する内周面を有する短筒状部２６、２８が形成され、これら短筒状部２６、２８が短柱状部１２、１４に嵌合している。これによって、舌片部１６、１８が本体部４に取り付けられている。
【００１５】
舌片部１６、１８では、図３（ａ）に示すように、それらの先端部が、本体部４の開放端側に向かって凸に湾曲した円弧状部１６ａ、１８ａとされている。これら円弧状部１６ａ、１８ａの両端から基端部側に向かってわずかに傾斜した縁部１６ｂ、１８ｂが形成されて、幅寸法が徐々に短くなっている。これら縁部１６ｂ、１８ｂの基端側の端部から基端部側に向かって、第２の湾曲部１６ｃ、１８ｃ、第１の湾曲部１６ｄ、１８ｄ、第３の湾曲部１６ｅ、１８ｅが順に連ねて形成されている。第２の湾曲部１６ｃ、１８ｃは、幅方向の内側に凸に湾曲している。これらにそれぞれ連なる第１の湾曲部１６ｄ、１８ｄは、幅方向の外側に凸に湾曲し、それらの頂点は縁部１６ｂ、１８ｂの最も外側に位置する部分よりも内側に位置している。この第１の湾曲部１６ｃ、１８ｃに連なる第３の湾曲部１６ｅ、１８ｅは、幅方向の内側に凸に湾曲し、その端部は連結体２０に連なっている。これら湾曲部１６ｃ、１８ｃ、１６ｄ、１８ｄ、１６ｅ、１８ｅは、滑らかに連なっている。
【００１６】
この糸巻き２では、図２（ａ）に示すように本体部４を展開した状態で、図４に示すように８の字に巻いた糸３０の２つのループ部分を、短柱状部１２、１４に挿通する。各ループ部分は、複数のループからなる。糸３０の基端３０ａが下壁８に固定されている。引き出し端３０ｂは、図４では、舌片部１６の側方にある。次に、舌片部１６、１８の短円筒状部２６、２８を図４に示すように短柱状部１２、１４に嵌合する。なお、図４では、糸３０の巻き量は図が錯綜するので少なめに描いてある。但し、各ループは、幾分解けた状態にあり、短柱状部１２、１４から遠い位置にあるものでは、一部が第２の湾曲部１６ｃ、１８ｃ、第１の湾曲部１６ｄ、１８ｄ、第３の湾曲部１６ｅ、１８ｅの付近にある。この状態において、端壁１０、連結体２０を折り曲げて、図１に示すような状態とすることによって糸巻き２が完成する。
【００１７】
完成した状態では、糸３０の引き出し端３０ｂは、第３の湾曲部１６ｃと第１の湾曲部１６ｄの境界付近から、舌片部１６、１８間に形成された通路内に入り、この通路を通って開放端部から引き出される。このとき、例えば急に糸３０を引き出すことにより、ループが解けないまま上記通路に入ろうとしたとき、第２の湾曲部１６ｃ、１８ｃと第１の湾曲部１６ｄとに沿って滑ることにより、ループが解けて、引き出される。なお、第１の湾曲部１６ｄ、１８ｄに沿って滑っていく際に解けなかったループは、第３の湾曲部１６ｅ、１８ｅに沿って滑る際に解ける。
【００１８】
上記の実施形態では、第１の湾曲部１６ｄ、１８ｄの他に、第２の湾曲部１６ｃ、１８ｃ及び第３の湾曲部１６ｅ、１８ｅを設けたが、第２の湾曲部１６ｃ、１８ｄ及び第３の湾曲部１６ｅ、１８ｅのいずれか一方または双方を除去することもできる。上記の実施形態では、上壁６及び下壁８は、同一の大きさの長方形状としたが、これに限らず、例えば円板状や楕円板状のような形状とすることができる。上記の実施形態では、上壁６及び下壁８と同じ幅寸法を持つ端壁１０によって、上壁６及び下壁８を連結したが、これに限らず、例えば幅方向に間隔をおいて配置した複数の帯状体によって上壁６及び下壁８を転結することもできる。上記の実施形態では、糸巻き２を合成樹脂製としたが、これに限らず、例えば紙製とすることもできる。
【符号の説明】
【００１９】
２  糸巻き
４  本体部
６  上壁（第１の主壁）
８  下壁（第２の主壁）
１０  端壁（結合体）
１２  １４  短柱状部（第１及び第２の突出部）
１６  １８  舌片部（第１及び第２の片状部）
１６ｃ  １８ｃ  第２の湾曲部
１６ｄ  １８ｄ  第１の湾曲部
１６ｅ  １８ｅ  第３の湾曲部
【図１】
0003161807.tif 000003
【図２】
0003161807.tif 000004
【図３】
0003161807.tif 000005
【図４】
0003161807.tif 000006
【手続補正書】
【提出日】平成22年6月7日(2010.6.7)
【手続補正１】
【補正対象書類名】実用新案登録請求の範囲
【補正対象項目名】請求項２
【補正方法】変更
【補正の内容】
【請求項２】
請求項１記載の糸巻きにおいて、前記第１の湾曲部の前記開放端部側の端部に連ねて、前記幅方向の中央側に向かって凸に第２の湾曲部が形成されている糸巻き。